(57)【特許請求の範囲】
【請求項１】
郵便物等の投入口、その投入口から投入された郵便物等を収容する収容室及びその収容室内の郵便物等を取り出す取出口を有する箱と、前記取出口の上端部に設けた支軸により上下に回動自在に支持されて、前記取出口を開閉する扉とを備え、その扉を開けたときにその扉を開放位置に保持する機構を備えている郵便受けにおいて、
前記扉を開放位置に保持する機構は、扉の上端部を前記箱の内側上方に延長した部分に形成された被係止部と、弾性材料で形成され、傾斜面とその傾斜面に連続する丸みを帯びた顎部とを有する係止部を先端に有し、前記箱の取出口の内側に固着された係止部材とからなり、
前記被係止部は前記扉を構成する金属板を上方に延長し、その延長部を折り返して形成してあるとともに、前記係止部材の前記顎部は前記折り返し部分を係合させるように形成してあり、
前記扉が所定角度まで開けられたときに前記被係止部の折り返し部分が前記係止部材の係止部の傾斜面に当接し滑りながらその係止部材を弾性変形させた後、その係止部材の弾性復元により前記被係止部の折り返し部分が前記顎部に係止されることを特徴とする郵便受け。
【請求項２】
請求項１に記載の郵便受けにおいて、前記箱の取出口の左右両側において、閉められた扉の左右両側辺に当たって前記扉を止めるように設けられた突縁に前記係止部材を取り付け、前記突縁の上端を前記扉の支軸よりも若干下側において終止させて、前記扉の前記被係止部の箱内側への回動を可能にしてあることを特徴とする郵便受け。
【発明の詳細な説明】
【技術分野】
【０００１】
本発明は、郵便受け、とくに、郵便物等の取出口に設けられて上下に回動して開閉される扉を開放位置に保持する機構を備えたものに関する。
【背景技術】
【０００２】
郵便物等の取出口の上下に回動して開閉される扉を開放位置に保持する機構を備えた郵便受けは、特許文献１，２，３，４，５に開示されている。
特許文献１，２のものは、開けた扉を箱内側方向にスライドして、その扉の先端を箱の天板から下方に垂設したＬ字状ストッパの下面により受け止めることにより、開放状態を維持するものである。扉を閉めるときはその扉を箱外側方向にスライドした後、手を離さなければならない。
特許文献３のものは、扉の上端部にＬ字形の係止部を設けるとともに、扉の支軸を貫通する孔を長孔に形成し、箱の内側に反対向きのＬ字形の係止部材を取り付けて、所定位置まで開けた扉を一旦箱の外側方向にスライドして、その扉を再び開方向に回動させた後、その扉を箱内側方向にスライドすることにより、扉の係止部を箱側の係止部材に係止させて、開放状態を保持するものである。扉を閉めるときは、上記と逆の動作をしなければならない。
特許文献４のものは、バネにより一定方向に付勢したボールを収容した筒を扉の上端部側面に取り付けると共に、箱の取出口内側の至近位置にボール嵌合孔を有するボール受け部材を取り付けて、扉を開けたときにボールをボール嵌合孔に弾力的に嵌合させることにより、開放状態を保持するものである。
特許文献５のものは、扉の上端部側面に上下２カ所に凹部を有するカムを取り付け、箱の取出口の内側の側面に、板バネ又はスプリングの先端にカムフォロワを取り付けてなるカムフォロワ組立体を取り付け、扉を開けた際にカムの凹部にカムフォロワが嵌合して、扉の開放状態を保持するものである。
【特許文献１】実公平２−４７８８３号公報
【特許文献２】実開平５−８５２７９号公報
【特許文献３】特開平８−２２８９０９号公報
【特許文献４】特開２００２−３１５６６５号公報
【特許文献５】特開２００５−０８７４３８号公報
【発明の開示】
【発明が解決しようとする課題】
【０００３】
特許文献１、２のものは、いずれも、開けた扉を開放状態に保持するには開けた扉を箱内側方向にスライドし、扉を閉めるときはその扉を箱外側方向にスライドしなければならない。スライドしなければならないことを忘れて、扉を閉めようとして扉の手前側部分を強く押し下げる場合は、扉の支軸は扉の上端付近に設けてあるため、てこの作用により扉から係止部材に強大な力が加わって係止部材を折り曲げたり、支軸が破損されたりする等の問題がある。
特許文献３のものは、開けた扉を開放状態に保持するには、開けた扉を手前側に引いた後、一旦、扉を再び開方向に回した後、扉を箱内側方向にスライドしなければならないので、開閉いずれの場合も操作が複雑であるとともに、扉を閉める際には特許文献１、２のものと同様の係止部材の折り曲げや支軸の破損の問題がある。また、この文献のものは、箱の係止部材の取付及び扉の長孔の加工に手間がかかるという問題がある。
特許文献４及び５のものは、複雑な構成の部材を必要とし、取付も容易でない。
【０００４】
本発明は、上記の事情に鑑みてなさたものであり、構成が簡単で取付が容易な扉開放保持機構を備えた、安価な郵便受けを提供することを課題としている。
【課題を解決するための手段】
【０００５】
上記構成により、扉を上方に回動して所定位置まで開けると、被係止部が係止部材の先端に当接して係止部材を弾性変形させ、扉がさらに回動するに連れて被係止部が顎に係合し、その扉を開放位置に保持する。扉の端部を引き下げると、被係止部が係止部材の顎部から外れるため、扉は自重で下方に回動して閉まる。
【０００６】
上記課題を解決するため、本発明は、郵便物等の投入口、その投入口から投入された郵便物等を収容する収容室及びその収容室内の郵便物等を取り出す取出口を有する箱と、その取出口の上端部に設けた支軸により上下に回動自在に支持されて、取出口を開閉する扉とを備え、その扉を開けたときに開放位置に保持する機構を備えている郵便受けにおいて、扉を開放位置に保持する機構は、扉の上端部を箱の内側に延長した部分に形成された被係止部と、弾性材料で形成され、傾斜面とその傾斜面に連続する丸みを帯びた顎部とを有する係止部を先端に有し、箱の取出口の内側に固着された係止部材とからなり、被係止部は扉を構成する金属板を上方に延長し、その延長部を折り返して形成してあるとともに、係止部材の顎部はその折り返し部分を係合させるように形成してあり、扉が上方に開けられたときに被係止部の折り返し部分が係止部材の係止部の傾斜面に当接し滑りながらその係止部材を弾性変形させた後、その係止部材の弾性復元により被係止部の折り返し部分が顎部に係止されることを特徴としている。
【０００７】
上記構成により、扉を上方に回動して所定位置まで開けると、被係止部の折り返し部分が係止部材の先端の係止部の傾斜面に当接し、滑りながら係止部材を弾性変形させ、扉がさらに回動するに連れて被係止部の折り返し部分は傾斜面の終端から顎部に係合するため、扉は開放位置に保持される。扉の端部を引き下げると、被係止部の折り返し部分が係止部材の顎部から外れるため、扉は自重で下方に回動して閉まる。
【０００８】
上記郵便受けは、箱の取出口の左右両側において、閉められた扉の左右両側辺に当たってその扉を止めるように設けられた突縁に係止部材を取り付け、前記突縁の上端を扉の支軸よりも若干下側において終止させて、扉の被係止部の箱内側への回動を可能にしてあることを特徴としている。
【発明の効果】
【０００９】
本発明によれば、新たに付加される構成は、扉の上端部の被係止部と、箱の取出口の内側に取り付けられる係止部材のみであるので、構成簡単、取付容易で安価な郵便受けを提供することができる。また、扉は単に開けるだけで手で支えることなく開放状態が保持されるので、一方の手が雨傘や荷物をもっている時でも、使い勝手が良い。さらに、扉は開閉いずれのときも上方又は下方に回動する簡単な操作で済み、開けた後にスライドするなどの余分な操作を必要とせずに、単に開けるだけで開放状態に保持される。つまり、扉の開閉時は、扉を単に回動するだけであるので、支軸やその他の部材の破損等の無い郵便受けを安価に提供することができる。
【００１０】
また、本発明によれば、扉の金属板に簡単な加工をするだけで、扉を開放位置に確実に保持することができる開放保持機構を郵便受けに備えることができる。そして、扉の金属板の延長部を折り返して被係止部を形成してあるので、所要の強度が確保されるほか、係止部材の係止部に対する摩擦が過大になって扉を閉める時に被係止部が顎部から円滑に外れないために扉の金属板の延長部が屈曲変形されることを防止することができる。
【００１１】
請求項２の発明によれば、既存の郵便受けが有する突縁を利用して係止部材を容易に取り付けることができる。
【発明を実施するための最良の形態】
【００１２】
次に、本発明の実施の形態について図面を用いながら説明する。
図１は本発明に係る郵便受けの一実施の形態の縦断面図、図２は図１のＸ−Ｘ線断面図、図３は図１の要部の作用を説明する拡大図である。
【００１３】
図１において、１は郵便受けＰＢを構成する箱であり、一般的には薄金属板で作られている。箱１の正面上部に郵便物等の投入口２が設けられ、その投入口２には蓋３が、その蓋の上端部に設けられた水平の支軸４を箱１に回転自在に支持させることにより、箱１の内側に上下回動して開閉自在に保持されている。投入口２から蓋３を押して投入される郵便物等は、箱１の中に形成してある収容室５に収容される。
【００１４】
投入口２よりも下側に、収容室５から郵便物等を取り出すための取出口６が設けられている。取出口６は、箱１を形成する金属板の正面部分を矩形に開口するように切除し、その矩形の開口の辺縁のうち、下辺及び左右両側辺を、扉７の厚みに相当する幅をもって箱内側方向に屈曲して上方開口コ字状に連続する下壁６１ａと側壁６２ａを形成するとともに、さらに先端側部分を取出口６の中央側に屈曲して取出口６の開口面と平行な面に沿って上方開口コ字状に連続する下縁部６１ｂと左右両側において互いに対向して突出する突縁部６２ｂとを形成してある。そして、これらの下壁６１ａ、側壁６２ａ、下縁部６１ｂ、左右の突縁部６２ｂの間に、後述するように、閉められた扉７を収容する凹部が形成されている。
【００１５】
取出口６には、これを開閉する扉７が、取出口６の上端部付近における左右両側に設けた水平の支軸８により、その支軸を中心として箱の外側に上下回動自在に取り付けられている。
【００１６】
扉７は、取出口６の凹部と相似形の金属板７０の上辺以外の３辺、すなわち、下辺及び左右両側辺を前記凹部の深さと等しい幅を持って背面側に直角に折り曲げてなる屈曲縁７１，７２を備えて、既存の扉と同一形状に形成されているほか、本発明により、金属板の上辺をさらに箱１の内側斜め上方に延長（７３）し、その延長端部においてほぼ真っ直ぐ上方に折り曲げ、かつ、折り返して、被係止部７４が形成されている。扉７の左右両側の屈曲縁７２間の距離は、取出口６の左右両側の側壁６２ａ間の距離よりもごくわずかに小さい。
【００１７】
扉７の正面の幅方向中央の下部に、取手９が取り付けられている。この取手９は、空締まり錠を備えたもの、又は鍵により本締まりが可能な錠を備えたもののいずれでもよい。
【００１８】
取出口６を形成する前記左右の側壁６２ａのうち、少なくとも一方の側壁６２ａの裏面に、係止部材１０が取り付けられている。係止部材１０は、一例として図３に詳細に示されているように、側壁６２ａの裏面に当接して固着される固定部１０ａと、その固定部から箱内側の斜め上方に延びる持ち出し部１０ｂと、その持ち出し部の先端に形成された係止部１０ｃとを一体に有している。持ち出し部１０ｂと係止部１０ｃは、亀頭を中央縦線に沿って二分したものの一方のような形状を有しており、係止部１０ｃは上端部に傾斜面１０ｃ１を有し、その傾斜面の下端部に連続する丸みを帯びた顎部１０ｃ２を有している。係止部材１０は、例えばＡＢＳ等の弾性樹脂材料で成形されている。
【００１９】
そして、係止部材１０は、扉７を所定角度まで開けたときに、扉７の被係止部７４が係止部材１０の係止部１０ｃの傾斜面１０ｃ１に当接し、その傾斜面を滑りながら押して係止部１０ｃを弾性変位させ、傾斜面１０ｃ１の下端部から顎部１０ｃ２下の凹み１０ｃ３に嵌合し、持ち出し部１０ｂと係止部１０ｃの復元力により、扉７から手を離しても、被係止部７４が係止部１０ｃに嵌合した状態で保持されるような所定の位置に、ボルトナットその他の固着具１１により取り付けられている。１０ｄは固着された係止部材１０の固着具１１を中心とする回転防止のための突起であり、突縁部６２ｂに設けた孔に嵌入させてある。
【００２０】
係止部材１０は、取出口６の一方の側壁６２ａ又は左右二つの側壁６２ａに設けた突縁部６２ｂに取り付けられるので、被係止部７４は、扉７の正面の金属板７０の左右両側端部においてのみ上方に延長して、その延長部分により形成しても良いが、金属板７０の全幅に渡って上方に延長して被係止部７４を形成する場合は、金属板の加工工数が少ない、扉７の強度が増大される、閉扉状態において扉７の上端部と取出口６の上辺との間からの雨水漏れが有効に防止される、等の利点がある。さらに、扉７の延長部（７３）を折り返して被係止部７４を形成した場合は、所要の強度が確保されるほか、係止部材１０の係止部１０ｃに対する摩擦が過大になって扉７を閉める時に被係止部７４が顎部１０ｃ２から円滑に外れないために扉７の金属板の延長部（７３）が屈曲変形されることを防止することができる。
【００２１】
上記構成による作用を説明する。この郵便受けの収容室５から郵便物を取り出すときは、解錠状態の取手９を把持して、扉７を図３に円弧Ｓ１で示すように所定角度まで開けると、被係止部７４が図３に示す円弧Ｓ２に沿って回動され、その間に、被係止部７４は係止部材１０の係止部１０ｃの傾斜面１０ｃ１に当接し、てこの作用により被係止部７４は傾斜面に大きな力を加えながら傾斜面１０ｃ１上を滑る。これにより、係止部材１０の持ち出し部及び係止部１０ｃが図３に実線で示されている位置から一点鎖線で示されている位置まで弾性変形して下がる。そして、被係止部７４の先端が係止部１０ｃの傾斜面１０ｃ１の下端部から顎部１０ｃ２を越えて、凹み１０Ｃ３に嵌合する。従って、開けた扉７から手を離しても、扉７は開放位置に保持される。従って、郵便物等を取り出す人が、片手に手荷物などを持っていても、もう一方の片手で扉７を開けて開放位置に保持し、その一方の手で収容室内から郵便物を取り出すことができる。そして、郵便物等の取り出しを終了した後は、扉７を下方に回動すると、被係止部１０ｃが係止部材１０を弾性変形させて顎部１０ｃ２から外れるため、その後は、扉７が自重で下方に回動し、取出口６の凹部に収容して取出口を閉める。
【００２２】
図示の例は、支柱又は壁の正面に箱１を取り付けるタイプの郵便受けであるので、取出口６を箱の正面に設けてある。塀壁又は建物壁などに箱を埋め込んで取りつけるタイプの郵便受けの場合は、取出口６はその箱の背面側に設けられる。本発明は、後者のタイプの郵便受けにも適用可能であることは，多言を要しない。
【００２３】
上述のように、本発明に係る郵便受けは、扉７の正面の金属板７０を単に上方に延長し、その延長端部を折り返して被係止部７４を形成し、箱１の取出口６の突縁６２ｂの背面に係止部材１０を取り付けるだけで、開けられた扉７を開放状態に保持し得る扉開放保持機構を備えることができ、被係止部７４は扉７の金属板７０で形成されながら充分な強度を有するので、扉の開閉の繰り返しにより屈曲変形することもない。したがって、構成簡単で強度を有する扉開放保持機構を備えた郵便受けを安価に提供することができる。
【図面の簡単な説明】
【００２４】
【図１】本発明に係る郵便受けの一実施の形態の縦断面図。
【図２】図１のＸ−Ｘ線断面図。
【図３】図１の本発明の要部の作用を説明する拡大図。
【符号の説明】
【００２５】
ＰＢ    郵便受け
１      箱
２      投入口
５      収容室
６      取出口
７      扉
７４    被係止部
８      支軸
１０    係止部材
１０ａ    固定部
１０ｂ    持ち出し部
１０ｃ    係止部
１０ｃ１  傾斜面
１０ｃ２  顎部
１０ｃ３  凹み
【図１】
0005213020.tif 000002
【図２】
0005213020.tif 000003
【図３】
0005213020.tif 000004